(57)【要約】  本発明は、リソース構成方法及び機器、コンピュータ記憶媒体を開示し、前記方法は、端末が、ネットワーク機器から送信される第１構成情報を受信することであって、前記第１構成情報は少なくとも第１帯域幅部分（ＢＷＰ）の構成情報を含み、前記第１ＢＷＰの構成情報は第１ＢＷＰに対応する複数のパラメータセットを含む、ことを含む。
2021517755.tif 000002
【特許請求の範囲】
【請求項１】
端末が、ネットワーク機器から送信される第１構成情報を受信することであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、ことを含む、リソース構成方法。
【請求項２】
前記第１ＢＷＰがアクティブ状態にあるとき、前記端末が前記複数のパラメータセットの中の少なくとも１つのパラメータセットを用いて信号を伝送することをさらに含む、請求項１に記載の方法。
【請求項３】
前記端末が、前記ネットワーク機器から送信される第１制御情報を受信することであって、前記第１制御情報は、前記複数のパラメータセットの中の少なくとも１つの第１パラメータセットを指示するための第１指示情報を含み、前記第１制御情報はリソースをスケジューリングすることに用いられる、ことと、
前記端末が前記第１指示情報に基づいて、スケジューリングされるリソースによって使用される前記少なくとも１つの第１パラメータセットを決定することと、をさらに含む、請求項２に記載の方法。
【請求項４】
前記端末が、前記ネットワーク機器から送信される、リソースをスケジューリングするための第１制御情報を受信することと、
前記端末が所定の規則に基づいて、スケジューリングされるリソースによって使用される第１パラメータセットを決定することと、をさらに含む、請求項２に記載の方法。
【請求項５】
前記第１制御情報は、パラメータセットに基づいてリソース割り当てを行うための少なくとも１つのリソース割り当て要素を含み、割り当てられるリソースとパラメータセットとの間に対応関係があり、
前記端末が所定の規則に基づいて、スケジューリングされるリソースによって使用される第１パラメータセットを決定することは、
前記端末が前記第１制御情報の中の前記少なくとも１つのリソース割り当て要素に基づいて、スケジューリングされるリソースによって使用される第１パラメータセットを決定することを含む、請求項４に記載の方法。
【請求項６】
前記第１制御情報は、ダウンリンク制御情報（ＤＣＩ）または媒体アクセス制御制御要素（ＭＡＣ  ＣＥ）である、請求項３〜５のいずれか１項に記載の方法。
【請求項７】
前記パラメータセットは、少なくともサブキャリア間隔とサイクル前プレフィックスの組合せを含む、請求項１〜６のいずれか１項に記載の方法。
【請求項８】
前記第１構成情報は、無線リソース制御（ＲＲＣ）シグナリングまたはシステム情報（ＳＩ）である、請求項１〜７のいずれか１項に記載の方法。
【請求項９】
ネットワーク機器が、第１構成情報を端末に送信することであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、ことを含む、リソース構成方法。
【請求項１０】
前記ネットワーク機器が、第１制御情報を前記端末に送信することであって、前記第１制御情報は、前記複数のパラメータセットの中の少なくとも１つの第１パラメータセットを指示するための第１指示情報を含み、前記第１制御情報はリソースをスケジューリングすることに用いられる、ことをさらに含む請求項９に記載の方法。
【請求項１１】
前記ネットワーク機器が、リソースをスケジューリングするための第１制御情報を前記端末に送信することをさらに含む、請求項９に記載の方法。
【請求項１２】
前記第１制御情報は、パラメータセットに基づいてリソース割り当てを行うための少なくとも１つのリソース割り当て要素を含み、割り当てられるリソースとパラメータセットとの間に対応関係がある、請求項１１に記載の方法。
【請求項１３】
前記第１制御情報は、ダウンリンク制御情報（ＤＣＩ）または媒体アクセス制御制御要素（ＭＡＣ  ＣＥ）である、請求項１０〜１２のいずれか１項に記載の方法。
【請求項１４】
前記パラメータセットは、少なくともサブキャリア間隔とサイクル前プレフィックスの組合せを含む請求項９〜１３のいずれか１項に記載の方法。
【請求項１５】
前記第１構成情報は、無線リソース制御（ＲＲＣ）シグナリングまたはシステム情報（ＳＩ）である、請求項９〜１４のいずれか１項に記載の方法。
【請求項１６】
ネットワーク機器から送信される第１構成情報を受信するための第１受信ユニットであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、第１受信ユニットと、を備える、リソース構成機器。
【請求項１７】
前記第１ＢＷＰがアクティブ状態にあるとき、前記複数のパラメータセットの中の少なくとも１つのパラメータセットを用いて信号を伝送するための伝送ユニットをさらに備える、請求項１６に記載の機器。
【請求項１８】
前記ネットワーク機器から送信される、リソースをスケジューリングするための第１制御情報を受信するための第２受信ユニットであって、前記第１制御情報は前記複数のパラメータセットの中の少なくとも１つの第１パラメータセットを指示するための第１指示情報を含む、第２受信ユニットと、
前記第１指示情報に基づいて、スケジューリングされるリソースによって使用される前記少なくとも１つの第１パラメータセットを決定するための第１決定ユニットと、をさらに備える、請求項１７に記載の機器。
【請求項１９】
前記ネットワーク機器から送信される、リソースをスケジューリングするための第１制御情報を受信するための第３受信ユニットと、
所定の規則に基づいて、スケジューリングされるリソースによって使用される第１パラメータセットを決定するための第２決定ユニットと、をさらに備える請求項１７に記載の機器。
【請求項２０】
前記第１制御情報は、パラメータセットに基づいてリソース割り当てを行うことに用いられる少なくとも１つのリソース割り当て要素を含み、割り当てられるリソースとパラメータセットとの間に対応関係があり、
前記第２決定ユニットは、前記第１制御情報の中の前記少なくとも１つのリソース割り当て要素に基づいて、スケジューリングされるリソースによって使用される第１パラメータセットを決定する、請求項１９に記載の機器。
【請求項２１】
前記第１制御情報は、ダウンリンク制御情報（ＤＣＩ）または媒体アクセス制御制御要素（ＭＡＣ  ＣＥ）である、請求項１８〜２０のいずれか１項に記載の機器。
【請求項２２】
前記パラメータセットは、少なくともサブキャリア間隔とサイクル前プレフィックスの組合せを含む、請求項１６〜２１のいずれか１項に記載の機器。
【請求項２３】
前記第１構成情報は、無線リソース制御（ＲＲＣ）シグナリングまたはシステム情報（ＳＩ）である、請求項１６〜２２のいずれか１項に記載の機器。
【請求項２４】
第１構成情報を端末に送信するための第１送信ユニットであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、第１送信ユニットを備える、リソース構成機器。
【請求項２５】
リソースをスケジューリングするための第１制御情報を前記端末に送信するための第２送信ユニットであって、前記第１制御情報は前記複数のパラメータセットの中の少なくとも１つの第１パラメータセットを指示するための第１指示情報を含む、第２送信ユニットをさらに備える、請求項２４に記載の機器。
【請求項２６】
リソースをスケジューリングするための第１制御情報を前記端末に送信するための第２送信ユニットをさらに備える、請求項２４に記載の機器。
【請求項２７】
前記第１制御情報は、パラメータセットに基づいてリソース割り当てを行うための少なくとも１つのリソース割り当て要素を含み、割り当てられるリソースとパラメータセットとの間に対応関係がある、請求項２６に記載の機器。
【請求項２８】
前記第１制御情報は、ダウンリンク制御情報（ＤＣＩ）または媒体アクセス制御制御要素（ＭＡＣ  ＣＥ）である請求項２５〜２７のいずれか１項に記載の機器。
【請求項２９】
前記パラメータセットは、少なくともサブキャリア間隔とサイクル前プレフィックスの組合せを含む、請求項２４〜２８のいずれか１項に記載の機器。
【請求項３０】
前記第１構成情報は、無線リソース制御（ＲＲＣ）シグナリングまたはシステム情報（ＳＩ）である、請求項２４〜２９のいずれか１項に記載の機器。
【請求項３１】
コンピュータ実行可能命令が記憶され、前記コンピュータ実行可能命令がプロセッサによって実行されるとき、請求項１〜８のいずれか１項に記載の方法ステップ、又は請求項９〜１５のいずれか１項に記載の方法ステップを実現する、コンピュータ記憶媒体。
【発明の詳細な説明】
【技術分野】
【０００１】
本発明は、無線通信技術分野に関し、特にリソース構成方法及び機器、コンピュータ記憶媒体に関する。
【背景技術】
【０００２】
ロングタームエボリューション（ＬＴＥ：Ｌｏｎｇ  Ｔｅｒｍ  Ｅｖｏｌｕｔｉｏｎ）システムでは、端末の周波数領域リソースは、システム帯域幅全体に割り当てられる。五世代（５Ｇ：５ｔｈ  Ｇｅｎｅｒａｔｉｏｎ）の新無線（ＮＲ：Ｎｅｗ  Ｒａｄｉｏ）システムでは、システムの帯域幅が大幅に向上するため、端末の伝送帯域幅がシステム帯域幅の一部だけ占有する可能性がある。
【０００３】
５Ｇ  ＮＲの従来の研究では、帯域幅部分（ＢＷＰ：Ｂａｎｄ  Ｗｉｄｔｈ  Ｐａｒｔ）概念を導入し、システムの帯域幅より小範囲の周波数領域リソース割り当てを実現することが決定された。基地局は、無線リソース制御（ＲＲＣ：Ｒａｄｉｏ  Ｒｅｓｏｕｒｃｅ  Ｃｏｎｔｒｏｌ）シグナリングによって複数のＢＷＰを構成し、次にダウンリンク制御情報（ＤＣＩ：Ｄｏｗｎｌｉｎｋ  Ｃｏｎｔｒｏｌ  Ｉｎｆｏｒｍａｔｉｏｎ）であるＢＷＰを動的にアクティブ化することができる。各種のＢＷＰが１つのパラメータセットに基づいて、パラメータセットがサブキャリア間隔、サイクリックプレフィクス（ＣＰ：Ｃｙｃｌｉｃ  Ｐｒｅｆｉｘ）を含む。従来の方案に従って、１つの端末に対して１つのＢＷＰしかアクティブ化することができず、１つの新しいＢＷＰをアクティブ化すると同時に、既存のＢＷＰが無効化される。
【０００４】
図１に示すように、ＢＷＰ１がアクティブ状態にあるとき、ＢＷＰ２をアクティブ化すると、ＢＷＰ１が無効化され、ＢＷＰ１も無効化すると、デフォルトＢＷＰに戻る。
【０００５】
従来の技術方案は、複数のＢＷＰを同時にアクティブ化することをサポートできず、複数種のパラメータセットを同時に用いることをサポートできず、複数種のタイプのサービスを並行伝送するとき、異なるサービスに対してそれぞれそれらのパラメータセットを最適化させることができない。２種のパラメータセットの間に切り替えると、２つのＢＷＰを切り替え、端末の無線周波数帯域幅が切り替えることを引き起こし、無線周波数帯域幅の切り替えにより、一定の時間内に端末がデータを送受信できなくてしまい、それによりもスペクトルリソースの浪費をもたらす。
【発明の概要】
【発明が解決しようとする課題】
【０００６】
上記技術課題を解決するために、本発明の実施例は、リソース構成方法及び機器、コンピュータ記憶媒体を提供する。
【課題を解決するための手段】
【０００７】
本発明の実施例により提供されるリソース構成方法は、
端末が、ネットワーク機器から送信される第１構成情報を受信することであって、前記第１構成情報は少なくとも第１帯域幅部分（ＢＷＰ）の構成情報を含み、前記第１ＢＷＰの構成情報は第１ＢＷＰに対応する複数のパラメータセットを含む、ことを含む。
【０００８】
本発明の実施例では、前記方法は、
前記第１ＢＷＰがアクティブ状態にあるとき、前記端末が前記複数のパラメータセットの中の少なくとも１つのパラメータセットを用いて信号を伝送することをさらに含む。
【０００９】
本発明の実施例では、前記方法は、
前記端末が、前記ネットワーク機器から送信される第１制御情報を受信することであって、前記第１制御情報は、前記複数のパラメータセットの中の少なくとも１つの第１パラメータセットを指示するための第１指示情報を含み、前記第１制御情報はリソースをスケジューリングすることに用いられる、ことと、
前記端末が前記第１指示情報に基づいて、スケジューリングされるリソースによって使用される前記少なくとも１つの第１パラメータセットを決定することと、をさらに含む。
【００１０】
本発明の実施例では、前記方法は、
前記端末が、前記ネットワーク機器から送信される、リソースをスケジューリングするための第１制御情報を受信することと、
前記端末が所定の規則に基づいて、スケジューリングされるリソースによって使用される第１パラメータセットを決定することと、をさらに含む。
【００１１】
本発明の実施例では、前記第１制御情報は、パラメータセットに基づいてリソース割り当てを行うことに用いられる少なくとも１つのリソース割り当て要素を含み、割り当てられるリソースとパラメータセットとの間に対応関係があり、
前記端末が所定の規則に基づいて、スケジューリングされるリソースによって使用される第１パラメータセットを決定することは、
前記端末が前記第１制御情報の中の前記少なくとも１つのリソース割り当て要素に基づいて、スケジューリングされるリソースによって使用される第１パラメータセットを決定することを含む。
【００１２】
本発明の実施例では、前記第１制御情報は、ＤＣＩまたは媒体アクセス制御制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）である。
【００１３】
本発明の実施例では、前記パラメータセットは、少なくともサブキャリア間隔とサイクル前プレフィックスの組合せを含む。
【００１４】
本発明の実施例では、前記第１構成情報は、ＲＲＣシグナリングまたはシステム情報（ＳＩ：Ｓｙｓｔｅｍ  Ｉｎｆｏｒｍａｔｉｏｎ）である。
【００１５】
本発明の実施例により提供されるリソース構成方法は、
ネットワーク機器が、第１構成情報を端末に送信することであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、ことを含む。
【００１６】
本発明の実施例では、前記方法は、
前記ネットワーク機器が、前記複数のパラメータセットの中の少なくとも１つの第１パラメータセットを指示するための第１指示情報を含み、リソースをスケジューリングするための第１制御情報を前記端末に送信することをさらに含む。
【００１７】
本発明の実施例では、前記方法は、
前記ネットワーク機器が、リソースをスケジューリングするための第１制御情報を前記端末に送信することをさらに含む。
【００１８】
本発明の実施例では、前記第１制御情報は、パラメータセットに基づいてリソース割り当てを行うための少なくとも１つのリソース割り当て要素を含み、割り当てられるリソースとパラメータセットとの間に対応関係がある。
【００１９】
本発明の実施例では、前記第１制御情報は、ＤＣＩまたはＭＡＣ  ＣＥである。
【００２０】
本発明の実施例では、前記パラメータセットは、少なくともサブキャリア間隔とサイクル前プレフィックスの組合せを含む。
【００２１】
本発明の実施例では、前記第１構成情報は、ＲＲＣシグナリングまたはＳＩである。
【００２２】
本発明の実施例により提供されるリソース構成機器は、
ネットワーク機器から送信される第１構成情報を受信するための第１受信ユニットであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、第１受信ユニットを備える。
【００２３】
本発明の実施例では、前記機器は、
前記第１ＢＷＰがアクティブ状態にあるとき、前記複数のパラメータセットの中の少なくとも１つのパラメータセットを用いて信号を伝送するための伝送ユニットをさらに備える。
【００２４】
本発明の実施例では、前記機器は、
前記ネットワーク機器から送信される、リソースをスケジューリングするための第１制御情報を受信するための第２受信ユニットであって、前記第１制御情報は前記複数のパラメータセットの中の少なくとも１つの第１パラメータセットを指示するための第１指示情報を含む、第２受信ユニットと、
前記第１指示情報に基づいて、スケジューリングされるリソースによって使用される前記少なくとも１つの第１パラメータセットを決定するための第１決定ユニットと、をさらに備える。
【００２５】
本発明の実施例では、前記機器は、
前記ネットワーク機器から送信される、リソースをスケジューリングするための第１制御情報を受信するための第３受信ユニットと、
所定の規則に基づいて、スケジューリングされるリソースによって使用される第１パラメータセットを決定するための第２決定ユニットと、をさらに備える。
【００２６】
本発明の実施例では、前記第１制御情報は、パラメータセットに基づいてリソース割り当てを行うことに用いられる少なくとも１つのリソース割り当て要素を含み、割り当てられるリソースとパラメータセットとの間に対応関係があり、
前記第２決定ユニットは、前記第１制御情報の中の前記少なくとも１つのリソース割り当て要素に基づいて、スケジューリングされるリソースによって使用される第１パラメータセットを決定することに用いられる。
【００２７】
本発明の実施例では、前記第１制御情報は、ＤＣＩまたはＭＡＣ  ＣＥである。
【００２８】
本発明の実施例では、前記パラメータセットは、サブキャリア間隔とサイクリックプレフィクスの組合せを少なくとも含む。
【００２９】
本発明の実施例では、前記第１構成情報は、ＲＲＣシグナリングまたはＳＩである。
【００３０】
本発明の実施例により提供されるリソース構成機器は、
第１構成情報を端末に送信するための第１送信ユニットであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、第１送信ユニットをさらに備える。
【００３１】
本発明の実施例では、前記機器は、
リソースをスケジューリングすることに用いられる第１制御情報を前記端末に送信するための第２送信ユニットであって、前記第１制御情報は前記複数のパラメータセットの中の少なくとも１つの第１パラメータセットを指示するための第１指示情報を含む、第２送信ユニットをさらに備える。
【００３２】
本発明の実施例では、前記機器は、
リソースをスケジューリングするための第１制御情報を前記端末に送信するための第２送信ユニットをさらに備える。
【００３３】
本発明の実施例では、前記第１制御情報は、パラメータセットに基づいてリソース割り当てを行うための少なくとも１つのリソース割り当て要素を含み、割り当てられるリソースとパラメータセットとの間に対応関係がある。
【００３４】
本発明の実施例では、前記第１制御情報は、ＤＣＩまたはＭＡＣ  ＣＥである。
【００３５】
本発明の実施例では、前記パラメータセットは、サブキャリア間隔とサイクリックプレフィクスの組合せを少なくとも含む。
【００３６】
本発明の実施例では、前記第１構成情報は、ＲＲＣシグナリングまたはＳＩである。
【００３７】
本発明の実施例の技術案では、端末が、前記第１ＢＷＰに対応する複数のパラメータセットを含む第１ＢＷＰの構成情報を少なくとも含み、ネットワーク機器から送信される第１構成情報を受信する。前記第１ＢＷＰがアクティブ状態にあるとき、前記端末が前記複数のパラメータセットの中の少なくとも１つのパラメータセットを用いて信号を伝送する。本発明の実施例を用いる技術案は、複数種のパラメータセットをサポートするＢＷＰの構成方法を提案し、１つの端末が同時に複数種のパラメータセットを用いて信号を伝送することをサポートし、それにより、マルチタイプのサービスの同時伝送を柔軟にサポートし、システムのスケジューリング柔軟性とスペクトル利用率を向上させる。
【００３８】
ここで説明される図面は、本発明に対する更なる理解を提供するものであり、本願の一部を構成し、本発明の例示的な実施例及びその説明は、本発明を解釈するものであり、本発明に対する不適当な限定を構成するものではない。
【図面の簡単な説明】
【００３９】
【図１】図１は１つのＢＷＰしかアクティブ状態ではない模式図である。
【図２】図２は本発明の実施例のリソース構成方法の例示的なフローチャート１である。
【図３】図３は本発明の実施例のリソース構成方法の例示的なフローチャート２である。
【図４】図４は本発明の実施例のマルチパラメータセットＢＷＰのリソーススケジューリング用のＤＣＩ構造の模式図である。
【図５】図５は本発明の実施例のリソース構成機器の構造模式図１である。
【図６】図６は本発明の実施例のリソース構成機器の構造模式図２である。
【図７】図７は本発明の実施例のコンピュータ機器の構造模式図である。
【発明を実施するための形態】
【００４０】
本発明の実施例の特徴と技術的内容をより詳しく把握するために、以下、図面を組み合わせて本発明の実施例の実現について詳細に説明し、添付の図面は、参照説明するためのものに過ぎず、本発明の実施例を限定するためのものではない。
【００４１】
図２は、本発明の実施例のリソース構成方法の例示的なフローチャート１であり、図２に示すように、前記リソース構成方法は、以下のステップを含む。
【００４２】
ステップ２０１において、端末が、ネットワーク機器から送信される第１構成情報を受信することであって、前記第１構成情報は少なくとも第１帯域幅部分（ＢＷＰ）の構成情報を含み、前記第１ＢＷＰの構成情報は第１ＢＷＰに対応する複数のパラメータセットを含む。
【００４３】
本発明の実施例では、前記端末は、携帯電話、タブレット、ノートパソコン、デスクトップなど、ネットワークと通信できる任意の機器であってもよい。
【００４４】
本発明の実施例では、前記ネットワーク機器は、基地局、たとえば５ＧシステムのｇＮＢであってもよい。
【００４５】
本発明の実施例では、前記パラメータセットは、サブキャリア間隔とサイクリックプレフィクスの組合せを少なくとも含む。
【００４６】
たとえば、端末は、ネットワーク機器からＢＷＰ１を構成する第１構成情報を受信し、前記第１構成情報は、ＢＷＰ１に対応する複数のパラメータセットＰ１、…、ＰＮ（Ｎ＞１）の構成情報を含む。Ｐｉ（ｉ＝１、２、…、Ｎ）は、１つのパラメータセットを代表する。
【００４７】
本発明の実施例では、前記第１構成情報は、ＲＲＣシグナリングまたはＳＩである。
【００４８】
更に、前記方法は、以下のステップをさらに含む。
【００４９】
ステップ２０２において、前記第１ＢＷＰがアクティブ状態にあるとき、前記端末が前記複数のパラメータセットの中の少なくとも１つのパラメータセットを用いて信号を伝送する。
【００５０】
たとえば、前記ＢＷＰ１がアクティブ状態にあるとき、端末は、前記Ｐ１、…、ＰＮの中のいずれかのパラメータセット伝送信号を用いることができる。
【００５１】
本発明の実施例では、端末が如何に用いるパラメータセットを決定するかは、以下の方式で実現することができる。
【００５２】
方式１：前記端末は、前記ネットワーク機器から送信される、リソースをスケジューリングするための第１制御情報を受信する。前記第１制御情報は前記複数のパラメータセットの中の少なくとも１つの第１パラメータセットを指示するための第１指示情報を含む。前記端末は、前記第１指示情報に基づいて、スケジューリングされるリソースによって使用される前記少なくとも１つの第１パラメータセットを決定する。
【００５３】
１つの実施形態では、前記第１制御情報は、ＤＣＩまたはＭＡＣ  ＣＥである。
【００５４】
たとえば、端末は、ネットワーク機器からリソースをスケジューリングするための第１制御情報を受信し、前記第１制御情報は、Ｐ１、…、ＰＮの中の少なくとものパラメータセットの指示情報を含む。端末は、前記指示情報に基づいて、スケジューリングされるリソースによって使用されるパラメータセットを決定する。
【００５５】
方式２：前記端末は、前記ネットワーク機器から送信される、リソースをスケジューリングするための第１制御情報を受信する。前記端末は、所定の規則に基づいて、スケジューリングされるリソースによって使用される第１パラメータセットを決定する。
【００５６】
１つの実施形態では、前記第１制御情報は、パラメータセットに基づいてリソース割り当てを行うことに用いられる少なくとも１つのリソース割り当て要素を含み、割り当てられるリソースとパラメータセットとの間に対応関係がある。前記端末は、前記第１制御情報の中の前記少なくとも１つのリソース割り当て要素に基づいて、スケジューリングされるリソースによって使用される第１パラメータセットを決定する。
【００５７】
１つの実施形態では、前記第１制御情報は、ＤＣＩまたはＭＡＣ  ＣＥである。
【００５８】
たとえば、前記第１制御情報は、Ｍ個のリソース割り当てビットセグメント（０＜Ｍ≦Ｎ）を含み、順にＰ１、…、ＰＭに基づくリソース割り当てことに用いられる。
【００５９】
図３は、本発明の実施例のリソース構成方法の例示的なフローチャート２であり、図３に示すように、前記リソース構成方法は、以下のステップを含む。
【００６０】
ステップ３０１において、ネットワーク機器が、第１構成情報を端末に送信することであって、前記第１構成情報は少なくとも第１帯域幅部分（ＢＷＰ）の構成情報を含み、前記第１ＢＷＰの構成情報は第１ＢＷＰに対応する複数のパラメータセットを含む。
【００６１】
１つの実施形態では、前記ネットワーク機器は、リソースをスケジューリングすることに用いられる第１制御情報を前記端末に送信する。前記第１制御情報は、前記複数のパラメータセットの中の少なくとも１つの第１パラメータセットを指示するための第１指示情報を含む。
【００６２】
１つの実施形態では、前記ネットワーク機器は、リソースをスケジューリングするための第１制御情報を前記端末に送信する。更に、前記第１制御情報は、パラメータセットに基づいてリソース割り当てを行うための少なくとも１つのリソース割り当て要素を含み、割り当てられるリソースとパラメータセットとの間に対応関係がある。
【００６３】
本発明の実施例では、前記第１制御情報は、ＤＣＩまたはＭＡＣ  ＣＥである。
【００６４】
本発明の実施例では、前記パラメータセットは、少なくともサブキャリア間隔とサイクリックプレフィクスの組合せを含む。
【００６５】
本発明の実施例では、前記第１構成情報は、ＲＲＣシグナリングまたはＳＩである。
【００６６】
以下、特定の適用例を組みわせて本発明の実施例の技術案について更に説明する。
【００６７】
例１：マルチパラメータセットＢＷＰの構成とアクティブ化
表１に示すように、第１構成情報は、４つのダウンリンクＢＷＰを構成する。ＢＷＰ２、ＢＷＰ４がそれぞれ１つのパラメータセットに対応され、ＢＷＰ２がアクティブ化されると、端末がパラメータセット２を用いて信号を伝送する。ＢＷＰ１、ＢＷＰ３がそれぞれ２つのパラメータセットに対応し、ＢＷＰ１がアクティブ化されると、端末がパラメータセット１、パラメータセット２を用いるか、またはパラメータセットＰ１とＰ２を同時に用いて信号を伝送することができる。
【００６８】
【表１】
2021517755.tif 000003
本発明の実施例により提案される、複数種のパラメータセットをサポートするＢＷＰの構成方法は、１つの端末が複数種のパラメータセットを同時に用いて信号を伝送することをサポートすることができ、それにより、マルチタイプのサービスの同時伝送を柔軟にサポートし、システムのスケジューリング柔軟性とスペクトル利用率を向上させる。
【００６９】
例２：マルチパラメータセットＢＷＰのリソーススケジューリング用のＤＣＩ構造
図４に示すように、ＢＷＰ１のリソーススケジューリング用のＤＣＩは、リソースを割り当てるための２つのビットセグメントを含むことができ、端末は、第１ビットセグメントに基づいてＰ１に基づくリソースの割り当て情報を取得し、第２ビットセグメントに基づいてＰ２のリソースの割り当て情報を取得する。
【００７０】
本発明の実施例により提案される、複数種のパラメータセットをサポートするＢＷＰの構成方法は、１つの端末が複数種のパラメータセットを同時に用いて信号を伝送することをサポートすることができ、それにより、マルチタイプのサービスの同時伝送を柔軟にサポートし、システムのスケジューリング柔軟性とスペクトル利用率を向上させる。
【００７１】
図５は、本発明の実施例のリソース構成機器の構造模式図１である、図５に示すように、前記リソース構成機器は、
ネットワーク機器から送信される第１構成情報を受信するための第１受信ユニット５０１であって、前記第１構成情報は少なくとも第１帯域幅部分（ＢＷＰ）の構成情報を含み、前記第１ＢＷＰの構成情報は前記第１ＢＷＰに対応する複数のパラメータセットを含む、第１受信ユニット５０１を備える。
【００７２】
１つの実施形態では、前記機器は、
前記第１ＢＷＰがアクティブ状態にあるとき、前記複数のパラメータセットの中の少なくとも１つのパラメータセットを用いて信号を伝送するための伝送ユニット５０２をさらに備える。
【００７３】
１つの実施形態では、前記機器は、
前記ネットワーク機器から送信される、リソースをスケジューリングするための第１制御情報を受信するための第２受信ユニット５０３であって、前記第１制御情報は前記複数のパラメータセットの中の少なくとも１つの第１パラメータセットを指示するための第１指示情報を含む、第２受信ユニット５０３と、
前記第１指示情報に基づいて、スケジューリングされるリソースによって使用される前記少なくとも１つの第１パラメータセットを決定するための第１決定ユニット５０４と、をさらに備える。
【００７４】
１つの実施形態では、前記機器は、
前記ネットワーク機器から送信される、リソースをスケジューリングするための第１制御情報を受信するための第３受信ユニット５０５と、
所定の規則に基づいて、スケジューリングされるリソースによって使用される第１パラメータセットを決定するための第２決定ユニット５０６と、をさらに備える。
【００７５】
１つの実施形態では、前記第１制御情報は少なくとも１つのリソース割り当て要素を含み、前記リソース割り当て要素は前記リソース割り当て要素がパラメータセットに基づいてリソース割り当てを行うことに用いられ、割り当てられるリソースとパラメータセットとの間に対応関係があり、
前記第２決定ユニット５０６は、前記第１制御情報の中の前記少なくとも１つのリソース割り当て要素に基づいて、スケジューリングされるリソースによって使用される第１パラメータセットを決定することに用いられる。
【００７６】
１つの実施形態では、前記第１制御情報は、ＤＣＩまたはＭＡＣ  ＣＥである。
【００７７】
１つの実施形態では、前記パラメータセットは、サブキャリア間隔とサイクリックプレフィクスの組合せを少なくとも含む。
【００７８】
１つの実施形態では、前記第１構成情報は、ＲＲＣシグナリングまたはＳＩである。
【００７９】
当業者であれば、図５に示すリソース構成機器における各ユニットが実現する機能が前述したリソース構成方法に関連する説明を参照して理解できることを理解すべきである。図５に示すリソース構成機器における各ユニットの機能がプロセッサにおけるプログラムを運転することによって実現されてもよく、特定の論理回路によって実現されてもよい。
【００８０】
図６は、本発明の実施例のリソース構成機器の構造模式図２であり、図６に示すように、前記リソース構成機器は、
第１ＢＷＰの構成情報を少なくとも含む第１構成情報を端末に送信するための第１送信ユニット６０１を備え、前記第１ＢＷＰの構成情報は、前記第１ＢＷＰに対応する複数のパラメータセットを含む。
【００８１】
１つの実施形態では、前記機器は、
リソースをスケジューリングすることに用いられる第１制御情報を前記端末に送信するための第２送信ユニット６０２であって、前記第１制御情報は前記複数のパラメータセットの中の少なくとも１つの第１パラメータセットを指示するための第１指示情報を含む、第２送信ユニット６０２をさらに備える。
【００８２】
１つの実施形態では、前記機器は、
リソースをスケジューリングするための第１制御情報を前記端末に送信するための第２送信ユニット６０２をさらに備える。
【００８３】
１つの実施形態では、前記第１制御情報は少なくとも１つのリソース割り当て要素を含み、前記リソース割り当て要素は前記リソース割り当て要素がパラメータセットに基づいてリソース割り当てを行うことに用いられ、割り当てられるリソースとパラメータセットとの間に対応関係がある。
【００８４】
１つの実施形態では、前記第１制御情報は、ＤＣＩまたはＭＡＣ  ＣＥである。
【００８５】
１つの実施形態では、前記パラメータセットは、少なくともサブキャリア間隔とサイクリックプレフィクスの組合せを含む。
【００８６】
１つの実施形態では、前記第１構成情報は、ＲＲＣシグナリングまたはＳＩである。
【００８７】
当業者であれば、図６に示すリソース構成機器における各ユニットが実現する機能が前述したリソース構成方法に関連する説明を参照して理解できることを理解すべきである。図６に示すリソース構成機器における各ユニットの機能がプロセッサにおけるプログラムを運転することによって実現されてもよく、特定の論理回路によって実現されてもよい。
【００８８】
本発明の実施例の上記リソース構成機器がソフトウェア機能モジュールの形態で実現され、独立した製品として販売し、使用される時、１つのコンピュータリーダブル記憶媒体に記憶することができる。このような理解に基づき、本発明の実施例の技術案は本質的に、または従来技術に寄与した部分は、ソフトウェア製品の形態で具体化されてもよく、前記コンピュータソフトウェア製品は、１つの記憶媒に記憶され、幾つかの命令を含み、１台のコンピュータ機器（パーソナルコンピュータ、サーバ、又はネットワーク機器などであってもよい）に本発明の各実施例に記載の方法の全部または一部を実行させる。前述した記憶媒体は、Ｕディス、モバイルディスク、読み出し専用メモリ（ＲＯＭ：Ｒｅａｄ  Ｏｎｌｙ  Ｍｅｍｏｒｙ）、磁気ディスクや光ディスクなど、プログラムコードを記憶できる様々な媒体を含む。このように、本発明の実施例は、いかなる特定のハードウェアとソフトウェアの組み合わせに限られない。
【００８９】
これに対応して、本発明の実施例は、コンピュータ実行可能命令が記憶され、前記コンピュータ実行可能命令がプロセッサによって実行されるとき、本発明の実施例の上記リソース構成方法を実現するコンピュータ記憶媒体をさらに提供する。
【００９０】
図７は、本発明の実施例のコンピュータ機器の構造模式図であり、前記コンピュータ機器は、端末であってもよく、ネットワーク機器であってもよい。図７に示すように、コンピュータ機器１００は、１つ以上の（図において１つだけ示される）プロセッサ１００２（プロセッサ１００２は、マイクロプロセッサー（ＭＣＵ：Ｍｉｃｒｏ  Ｃｏｎｔｒｏｌｌｅｒ  Ｕｎｉｔ）またはプログラマブルロジックデバイス（ＦＰＧＡ：Ｆｉｅｌｄ  Ｐｒｏｇｒａｍｍａｂｌｅ  Ｇａｔｅ  Ａｒｒａｙ）などの処理機器を含むことができるがこれらに限られない）、データを記憶するためのメモリ１００４と、通信機能用の伝送機器１００６を備えることができる。当業者であれば、図７に示す構造が例示的なものにすぎず、上記電子機器の構造を限定するものではないことを理解できる。たとえば、コンピュータ機器１００は、さらに、図７に示すものより多く又は少ないユニットを備えてもよく、又は図７に示すものと異なる構成を有してもよい。
【００９１】
メモリ１００４は、アプリケーションソフトウエアのソフトウェアプログラム及びモジュール、本発明の実施例の方法に対応するプログラム命令／モジュールを記憶することに用いられ得て、プロセッサ１００２は、メモリ１００４に記憶されるソフトウェアプログラム及びモジュールを運転することによって、様々な機能アプリケーション及びデータ処理を実行し、すなわち上記方法を実現する。メモリ１００４は、高速ランダムアクセスメモリを含んでもよく、不揮発性メモリ、例えば１つの又は複数の磁性メモリ、フラッシュメモリ、又は他の不揮発性固体メモリを含んでもよい。いくつかの実施例では、メモリ１００４は、さらに、プロセッサ１００２に対して遠隔に設けられるメモリを含んでもよく、これらの遠隔メモリがネットワークを介してコンピュータ機器１００に接続されてもよい。上記ネットワークの実施例は、インターネット、イントラネット、ローカルエリアネットワーク、モバイル通信ネットワーク及びその組合せを含むがこれらに限られない。
【００９２】
伝送機器１００６は、ネットワークを介してデータを受送信することに用いられる。上述したネットワークの特定の実施例は、コンピュータ機器１００の通信プロバイダーにより提供されるワイアレスネットワークを含むことができる。１つの実施例では、伝送機器１００６は、基地局を介して他のネットワーク機器に接続されて、インターネットと通信するネットワークインターフェースコントローラー（ＮＩＣ：Ｎｅｔｗｏｒｋ  Ｉｎｔｅｒｆａｃｅ  Ｃｏｎｔｒｏｌｌｅｒ）を含む。１つの実施例では、伝送機器１００６は、無線方式でインターネットと通信できる無線周波数（ＲＦ：Ｒａｄｉｏ  Ｆｒｅｑｕｅｎｃｙ）モジュールであってもよい。
【００９３】
本発明の実施例に記載の技術案は、衝突がない限り、任意に組み合わせることができる。
【００９４】
本発明により提供されるいくつかの実施例では、開示される方法及び知能機器は、他の方式によって実現されてもよいことを理解すべきである。以上、説明された機器の実施例は、例示的なものに過ぎず、たとえば、前記ユニットの分割は、単なる論理的な機能分割であり、実際に実現する時には、他の分割方式を採用してもよく、例えば、複数のユニットもしくはコンポーネントを他のシステムに組み合わせ、集積してもよく、または、一部の特徴を無視し、実行しなくてもよい。さらに、図示または検討された各構成部分の相互間の結合や直接結合、または通信接続は、幾つかのインタフェース、機器またはユニットによる間接結合または通信接続であってもよく、電気的、機械的またはその他の形であってもよい。
【００９５】
上記した独立部材として説明されたユニットは、物理的に分離されてもよいし、分離されなくてもよく、ユニットとして表示された部材は、物理的ユニットであってもよいし、物理的ユニットでなくてもよく、即ち、同じ場所に設置されてもよいし、複数のネットワークユニットに分散してもよい。実際の必要に応じて、そのうちの一部または全部のユニットを選択して、本実施例の技術案の目的を実現することができる。
【００９６】
また、本発明の各実施例における各機能ユニットをすべて第２処理ユニットに集積してもよいし、各ユニットが単独で１つのユニットとしてもよく、２つ以上ユニットを１つのユニットに集積してもよく、上記集積されるユニットは、ハードウェアの形態で実現されてもよく、ハードウェアとソフトウェア機能ユニットの組み合わせ形態で実現されてもよい。
【００９７】
上記の内容は、本発明の具体的な実施形態に過ぎないが、本発明の特許保護の範囲はこれに限られず、いかなる当業者であれば、本発明で開示された技術的範囲において、想到しうる変更や置換は、いずれも本発明の特許保護の範囲に含まれるものとする。
【図１】
2021517755.tif 000004
【図２】
2021517755.tif 000005
【図３】
2021517755.tif 000006
【図４】
2021517755.tif 000007
【図５】
2021517755.tif 000008
【図６】
2021517755.tif 000009
【図７】
2021517755.tif 000010
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
端末が、ネットワーク機器から送信される第１構成情報を受信することであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、ことを含む、リソース構成方法。
【請求項２】
前記第１ＢＷＰがアクティブ状態にあるとき、前記端末が前記複数のパラメータセットの中の少なくとも１つのパラメータセットを用いて信号を伝送することをさらに含む、請求項１に記載の方法。
【請求項３】
前記端末が、前記ネットワーク機器から送信される第１制御情報を受信することであって、前記第１制御情報は、前記複数のパラメータセットの中の少なくとも１つの第１パラメータセットを指示するための第１指示情報を含み、前記第１制御情報はリソースをスケジューリングすることに用いられる、ことと、
前記端末が前記第１指示情報に基づいて、スケジューリングされるリソースによって使用される前記少なくとも１つの第１パラメータセットを決定することと、をさらに含む、請求項２に記載の方法。
【請求項４】
前記端末が、前記ネットワーク機器から送信される、リソースをスケジューリングするための第１制御情報を受信することと、
前記端末が所定の規則に基づいて、スケジューリングされるリソースによって使用される第１パラメータセットを決定することと、をさらに含む、請求項２に記載の方法。
【請求項５】
前記第１制御情報は、パラメータセットに基づいてリソース割り当てを行うための少なくとも１つのリソース割り当て要素を含み、割り当てられるリソースとパラメータセットとの間に対応関係があり、
前記端末が所定の規則に基づいて、スケジューリングされるリソースによって使用される第１パラメータセットを決定することは、
前記端末が前記第１制御情報の中の前記少なくとも１つのリソース割り当て要素に基づいて、スケジューリングされるリソースによって使用される第１パラメータセットを決定することを含む、請求項４に記載の方法。
【請求項６】
前記パラメータセットは、少なくともサブキャリア間隔とサイクル前プレフィックスの組合せを含む、請求項１〜５のいずれか１項に記載の方法。
【請求項７】
ネットワーク機器が、第１構成情報を端末に送信することであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、ことを含む、リソース構成方法。
【請求項８】
前記ネットワーク機器が、第１制御情報を前記端末に送信することであって、前記第１制御情報は、前記複数のパラメータセットの中の少なくとも１つの第１パラメータセットを指示するための第１指示情報を含み、前記第１制御情報はリソースをスケジューリングすることに用いられる、ことをさらに含む請求項７に記載の方法。
【請求項９】
前記第１制御情報は、ダウンリンク制御情報（ＤＣＩ）または媒体アクセス制御制御要素（ＭＡＣ  ＣＥ）である、請求項８に記載の方法。
【請求項１０】
前記パラメータセットは、少なくともサブキャリア間隔とサイクル前プレフィックスの組合せを含む請求項７〜９のいずれか１項に記載の方法。
【請求項１１】
前記第１構成情報は、無線リソース制御（ＲＲＣ）シグナリングまたはシステム情報（ＳＩ）である、請求項７〜１０のいずれか１項に記載の方法。
【請求項１２】
ネットワーク機器から送信される第１構成情報を受信するための第１受信ユニットであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、第１受信ユニットと、を備える、リソース構成機器。
【請求項１３】
前記第１ＢＷＰがアクティブ状態にあるとき、前記複数のパラメータセットの中の少なくとも１つのパラメータセットを用いて信号を伝送するための伝送ユニットをさらに備える、請求項１２に記載の機器。
【請求項１４】
前記パラメータセットは、少なくともサブキャリア間隔とサイクル前プレフィックスの組合せを含む、請求項１２又は１３に記載の機器。
【請求項１５】
第１構成情報を端末に送信するための第１送信ユニットであって、前記第１構成情報は少なくとも第１帯域幅部分（ＢＷＰ）の構成情報を含み、前記第１ＢＷＰの構成情報は前記第１ＢＷＰに対応する複数のパラメータセットを含む、第１送信ユニットを備える、リソース構成機器。
【請求項１６】
リソースをスケジューリングするための第１制御情報を前記端末に送信するための第２送信ユニットであって、前記第１制御情報は前記複数のパラメータセットの中の少なくとも１つの第１パラメータセットを指示するための第１指示情報を含む、第２送信ユニットをさらに備える、請求項１５に記載の機器。
【請求項１７】
前記パラメータセットは、少なくともサブキャリア間隔とサイクル前プレフィックスの組合せを含む、請求項１５又は１６に記載の機器。
【請求項１８】
コンピュータ実行可能命令が記憶され、前記コンピュータ実行可能命令がプロセッサによって実行されるとき、請求項１〜６のいずれか１項に記載の方法ステップ、又は請求項７〜１１のいずれか１項に記載の方法ステップを実現する、コンピュータ記憶媒体。
【国際調査報告】
2021517755.tif 000011
2021517755.tif 000012
2021517755.tif 000013
2021517755.tif 000014